(57)【要約】      （修正有）【課題】加圧空気タンクおよび／または外部の圧縮機でガスタービンの出力を増大させるためのシステムおよび方法を提供する。【解決手段】ガスタービンの出力を増大させるためのシステムは、圧縮機１０４と、燃焼器１０６と、タービン１０８とを有するガスタービンエンジン１０２を備えることができる。システムは、ガスタービンエンジン１０２に連絡した加圧空気タンク１２２をさらに備えることができる。さらに、システムは、加圧空気タンク１２２に連絡した外部の圧縮機１３８を備えることができる。外部の圧縮機１３８を、圧縮された空気を加圧空気タンク１２２へと供給するように構成することができ、加圧空気タンク１２２を、圧縮された空気をガスタービンエンジン１０２へと供給するように構成することができる。【選択図】図１
2017036725.tif 000002
【特許請求の範囲】
【請求項１】
ガスタービンの出力を増大させるためのシステム（１００）であって、
圧縮機（１０４）と、燃焼器（１０６）と、タービン（１０８）とを備えるガスタービンエンジン（１０２）と、
前記ガスタービンエンジン（１０２）に連絡した加圧空気タンク（１２２）と、
前記加圧空気タンク（１２２）に連絡した外部の圧縮機（１３８）と
を備えており、
前記外部の圧縮機（１３８）は、圧縮された空気を前記加圧空気タンク（１２２）へと供給するように構成され、前記加圧空気タンク（１２２）は、圧縮された空気を前記ガスタービンエンジン（１０２）へと供給するように構成されている、システム（１００）。
【請求項２】
前記加圧空気タンク（１２２）は、前記圧縮機（１０４）の圧縮機吐出ケーシング（１２６）に連絡している、請求項１に記載のシステム（１００）。
【請求項３】
前記加圧空気タンク（１２２）は、前記燃焼器（１０６）の導入口（１２８）に連絡している、請求項１に記載のシステム（１００）。
【請求項４】
前記加圧空気タンク（１２２）は、前記タービン（１０８）の導入口（１３０）に連絡している、請求項１に記載のシステム（１００）。
【請求項５】
前記圧縮機（１０４）は、前記加圧空気タンク（１２２）に連絡している、請求項１に記載のシステム（１００）。
【請求項６】
前記圧縮機（１０４）および前記外部の圧縮機（１３８）に連絡したフィルタハウス（１１４）をさらに備える、請求項１に記載のシステム（１００）。
【請求項７】
前記加圧空気タンク（１２２）をバイパスするための前記外部の圧縮機（１３８）から前記ガスタービンエンジン（１０２）へのバイパス配管（１５０）をさらに備え、前記外部の圧縮機（１３８）は、前記バイパス配管（１５０）によって前記ガスタービンエンジン（１０２）へと圧縮された空気を供給するように構成されている、請求項１に記載のシステム（１００）。
【請求項８】
前記加圧空気タンク（１２２）または前記外部の圧縮機（１３８）は、前記圧縮機（１０４）の圧縮機吐出ケーシング（１２６）に連絡している、請求項７に記載のシステム（１００）。
【請求項９】
前記加圧空気タンク（１２２）または前記外部の圧縮機（１３８）は、前記燃焼器（１０６）の導入口（１２８）に連絡している、請求項７に記載のシステム（１００）。
【請求項１０】
前記加圧空気タンク（１２２）または前記外部の圧縮機（１３８）は、前記タービン（１０８）の導入口（１３０）に連絡している、請求項７に記載のシステム（１００）。
【請求項１１】
前記圧縮機（１０４）は、前記加圧空気タンク（１２２）に連絡している、請求項７に記載のシステム（１００）。
【請求項１２】
前記圧縮機（１０４）および前記外部の圧縮機（１３８）に連絡したフィルタハウス（１１４）をさらに備える、請求項７に記載のシステム（１００）。
【請求項１３】
ガスタービンの出力を増大させるためのシステム（１００）であって、
圧縮機（１０４）と、燃焼器（１０６）と、タービン（１０８）とを備えるガスタービンエンジン（１０２）と、
前記ガスタービンエンジン（１０２）に連絡した加圧空気タンク（１２２）であって、前記圧縮機（１０４）が該加圧空気タンク（１２２）に連絡しており、前記圧縮機（１０４）が該加圧空気タンク（１２２）へと圧縮された空気を供給するように構成されている加圧空気タンク（１２２）と、
前記加圧空気タンク（１２２）に連絡した外部の圧縮機（１３８）であって、前記加圧空気タンク（１２２）へと圧縮された空気を供給するように構成されており、前記加圧空気タンク（１２２）が前記ガスタービンエンジン（１０２）へと圧縮された空気を供給するように構成されている外部の圧縮機（１３８）と、
前記加圧空気タンク（１２２）をバイパスするための前記外部の圧縮機（１３８）から前記ガスタービンエンジン（１０２）へのバイパス配管（１５０）であって、前記外部の圧縮機（１３８）が該バイパス配管（１５０）によって前記ガスタービンエンジン（１０２）へと圧縮された空気を供給するように構成されているバイパス配管（１５０）と
を備える、システム（１００）。
【請求項１４】
前記加圧空気タンク（１２２）または前記外部の圧縮機（１３８）は、前記圧縮機（１０４）の圧縮機吐出ケーシング（１２６）に連絡している、請求項１３に記載のシステム（１００）。
【請求項１５】
前記加圧空気タンク（１２２）または前記外部の圧縮機（１３８）は、前記燃焼器（１０６）の導入口（１２８）に連絡している、請求項１３に記載のシステム（１００）。
【請求項１６】
前記加圧空気タンク（１２２）または前記外部の圧縮機（１３８）は、前記タービン（１０８）の導入口（１３０）に連絡している、請求項１３に記載のシステム（１００）。
【請求項１７】
ガスタービンの出力を増大させるための方法であって、
ガスタービンエンジン（１０２）に連絡した加圧空気タンク（１２２）を外部の圧縮機（１３８）によって満たすステップと、
短期間の出力の需要にもとづき、前記加圧空気タンク（１２２）から前記ガスタービンエンジン（１０２）へと圧縮された空気を供給するステップと
を含む方法。
【請求項１８】
長期にわたる出力の需要にもとづき、前記加圧空気タンク（１２２）をバイパスさせるステップと、
前記外部の圧縮機（１３８）から前記ガスタービンエンジン（１０２）へと圧縮された空気を供給するステップと
をさらに含む、請求項１７に記載の方法。
【請求項１９】
前記加圧空気タンク（１２２）および／または前記外部の圧縮機（１３８）から圧縮機吐出ケーシング（１２６）、燃焼器（１０６）の導入口（１２８）、タービン（１０８）の導入口（１３０）、またはこれらの組み合わせへと圧縮された空気を供給することをさらに含む、請求項１８に記載の方法。
【請求項２０】
前記加圧空気タンク（１２２）から圧縮機吐出ケーシング（１２６）、燃焼器（１０６）の導入口（１２８）、タービン（１０８）の導入口（１３０）、またはこれらの組み合わせへと圧縮された空気を供給することをさらに含む、請求項１７に記載の方法。
【発明の詳細な説明】
【技術分野】
【０００１】
本開示は、広くには、ガスタービンに関し、さらに詳しくは、加圧空気タンクおよび／または外部の圧縮機でガスタービンの出力を増大させるためのシステムおよび方法に関する。
【背景技術】
【０００２】
発電所の稼働の最中に、比較的短い時間期間について全体としての出力を速やかに増加させることが望まれる状況が生じうる。ガスタービンエンジンの出力を増加させるための従来からの技術として、圧縮機の質量流量を増やすこと、燃焼器への燃料の流れを増やすこと、および圧縮機への導入口案内羽根を開くことが挙げられる。圧縮機の質量流量を増やすことは、動作における制約によって制限されうる。過燃焼（ｏｖｅｒ−ｆｉｒｉｎｇ）法が、高速な応答をもたらすことができるが、タービンを通常の燃焼温度を超えて運転することは、高温ガスの経路部品の劣化および保守のコストの増大につながる可能性がある。さらに、圧縮機への気流は、ガスタービンがベース負荷未満で動作している場合に限って、増やすことが可能である。したがって、一時的な送電系統の周波数の逸脱に対応する改善されたガスタービンの出力の増大のシステムおよび方法が望まれる。
【発明の概要】
【０００３】
上述のニーズおよび／または課題の一部またはすべてに、本開示の特定の実施形態によって対処することができる。一実施形態によれば、ガスタービンの出力を増大させるためのシステムが開示される。システムは、圧縮機と、燃焼器と、タービンとを有するガスタービンエンジンを備えることができる。システムは、ガスタービンエンジンに連絡した加圧空気タンクをさらに備えることができる。さらに、システムは、加圧空気タンクに連絡した外部の圧縮機を備えることができる。外部の圧縮機を、圧縮された空気を加圧空気タンクへと供給するように構成することができ、加圧空気タンクを、圧縮された空気をガスタービンエンジンへと供給するように構成することができる。
【０００４】
別の実施形態において、ガスタービンの出力を増大させるためのシステムが開示される。システムは、圧縮機と、燃焼器と、タービンとを有するガスタービンエンジンを備えることができる。システムは、ガスタービンエンジンに連絡した加圧空気タンクをさらに備えることができる。圧縮機を、加圧空気タンクに連絡させることができる。圧縮機を、圧縮された空気を加圧空気タンクへと供給するように構成することができる。システムは、加圧空気タンクに連絡した外部の圧縮機をさらに備えることができる。外部の圧縮機を、圧縮された空気を加圧空気タンクへと供給するように構成することができ、加圧空気タンクを、圧縮された空気をガスタービンエンジンへと供給するように構成することができる。さらに、システムは、加圧空気タンクをバイパスするための外部の圧縮機からガスタービンエンジンへのバイパス配管をさらに備えることができる。外部の圧縮機を、圧縮された空気をバイパス配管によってガスタービンエンジンへと直接供給するように構成することができる。
【０００５】
別の実施形態によれば、ガスタービンの出力を増大させるための方法が開示される。本方法は、ガスタービンエンジンに連絡した加圧空気タンクを外部の圧縮機によって満たすステップを含むことができる。本方法は、短期間の出力の需要にもとづき、加圧空気タンクからガスタービンエンジンへと圧縮された空気を供給するステップをさらに含むことができる。
【０００６】
本開示の他の実施形態、態様、および特徴が、以下の詳細な説明、添付の図面、および添付の特許請求の範囲から、当業者にとって明らかになるであろう。
【０００７】
次に、添付の図面（必ずしも比例尺で描かれているわけではない）を参照する。
【図面の簡単な説明】
【０００８】
【図１】一実施形態によるガスタービンシステムを概略的に示している。
【図２】一実施形態によるガスタービンシステムを概略的に示している。
【図３】一実施形態によるガスタービンシステムを概略的に示している。
【図４】一実施形態によるガスタービンシステムを概略的に示している。
【図５】一実施形態による典型的なフロー図を示している。
【発明を実施するための形態】
【０００９】
次に、例示の実施形態が、いくつかの（ただし、すべてではない）実施形態が示されている添付の図面を参照して、以下でさらに充分に説明される。本開示は、多数のさまざまな形態にて具現化可能であり、本明細書に記載の実施形態に限定されると解釈されるべきではない。全体を通して、類似の番号は、類似の構成要素を指している。
【００１０】
図１は、低周波の送電系統の事象などの一時的事象の際に出力を増大させるためのタービンシステム１００を示している。ガスタービンシステム１００は、１つ以上のガスタービンエンジン１０２を備えることができる。各々のガスタービンエンジン１０２は、到来する空気の流れを圧縮する圧縮機１０４を備えることができる。圧縮機１０４は、圧縮された空気の流れを燃焼サブシステム１０６へともたらすことができる。圧縮された空気の流れを、圧縮された燃料の流れと混合することができる。混合物を燃やし、燃焼ガスの流れを生み出すことができる。次いで、燃焼ガスの流れを、タービン１０８へともたらすことができる。燃焼ガスの流れは、タービン１０８を駆動して、機械的な仕事を生み出すことができる。タービン１０８において生み出された機械的な仕事は、圧縮機１０４ならびに例えば発電機などの外部の負荷を駆動することができる。燃焼ガスの流れを、排気サブシステムを介してスタックまたは熱回収蒸気発生器へと排気することができ、あるいは他のやり方で処理することができる。
【００１１】
いくつかの場合、ガスタービンシステム１００は、調節式（ａｒｔｉｃｕｌａｔｅｄ）の吸気口案内羽根アセンブリ１１２を有する圧縮機吸気口サブシステム１１０を備えることができる。さらに、いくつかの場合、ガスタービンエンジン１０２は、吸気口スクリーン１１４あるいは複数の吸気フィルタ１１６を有するフィルタアセンブリを備えるフィルタハウスを備えることができる。また、ガスタービンシステム１００は、吸気口抽気加熱（ＩＢＨ）マニホールド１１８および／または防氷マニホールド１２０をさらに備えることができる。
【００１２】
ガスタービンシステム１００は、１つ以上の導管１２４によってガスタービンエンジン１０２の１つ以上の構成要素に連絡した加圧空気タンク１２２を備えることができる。例えば、加圧空気タンク１２２を、圧縮機１０４の圧縮機吐出ケーシング１２６、燃焼器１０６の導入口１２８、および／またはタービン１０８の導入口１３０に連絡させることができる。加圧空気タンク１２２を、圧縮機１０４、燃焼器１０６、および／またはタービン１０８の任意の部分または構成要素に連絡させることができる。導管１２４は、加圧空気タンク１２２からの圧縮された空気の流れを監視および／または制御するために、１つ以上の流量制御弁１３２、流量センサ１３４、および／または圧力センサ１３６を備えることができる。加圧空気タンク１２２は、圧縮された空気を貯蔵することができる。このやり方で、加圧空気タンク１２２は、圧縮された空気をガスタービンエンジン１０２の１つ以上の構成要素へと供給して、出力を維持することができる。一例において、加圧空気タンク１２２は、短期間の送電系統の事象または出力の要求にもとづいて、圧縮された空気を即座にもたらすことができる。加圧空気タンク１２２は、あくまでも例示の目的のためのものにすぎない。例えば、加圧空気タンク１２２は、チッ素、酸素、または燃料など、液体および気体の両方の他の流体を貯蔵することができる。
【００１３】
外部の圧縮機１３８を、１つ以上の導管１４０によって加圧空気タンク１２２に連絡させることができる。導管１４０は、外部の圧縮機１３８から加圧空気タンク１２２への圧縮された空気の流れを監視および／または制御するために、１つ以上の流量制御弁１４２、流量センサ、および／または圧力センサを備えることができる。外部の圧縮機１３８を、圧縮された空気を加圧空気タンク１２２へと供給するように構成することができる。次いで、加圧空気タンク１２２を、圧縮された空気を上述のようにガスタービンエンジン１０２の１つ以上の構成要素へと供給するように構成することができる。
【００１４】
いくつかの場合、フィルタハウス１１４は、１つ以上の導管１４４によって圧縮機１０４および外部の圧縮機１３８に連絡することができる。このやり方で、フィルタハウス１１４は、フィルタ処理された空気を圧縮機１０４および／または外部の圧縮機１３８へと供給することができる。
【００１５】
特定の実施形態において、圧縮機１０４は、図２に示されるように、１つ以上の導管１４６によって加圧空気タンク１２２に連絡することができる。導管１４６は、圧縮機１０４から加圧空気タンク１２２への圧縮された空気の流れを監視および／または制御するために、１つ以上の流量制御弁１４８、流量センサ、および／または圧力センサを備えることができる。圧縮機１０４を、圧縮された空気を加圧空気タンク１２２へと供給するように構成することができる。このやり方で、加圧空気タンクを、外部の圧縮機１３８および／または圧縮機１０４からの圧縮された空気で満たすことができる。次いで、加圧空気タンク１２２を、圧縮された空気を上述のようにガスタービンエンジン１０２の１つ以上の構成要素へと供給するように構成することができる。
【００１６】
図３に示されるように、ガスタービンシステム１００は、外部の圧縮機１３８からガスタービンエンジン１０８へのバイパス配管１５０を備えることができる。バイパス配管１５０は、加圧空気タンク１２２をバイパスすることができる。バイパス配管１５０は、外部の圧縮機１３８からガスタービンエンジン１０２への圧縮された空気の流れを監視および／または制御するために、１つ以上の流量制御弁、流量センサ、および／または圧力センサを備えることができる。このやり方で、外部の圧縮機１３８を、圧縮された空気をバイパス配管１５０によってガスタービンエンジン１０２へと直接供給するように構成することができる。結果として、ガスタービンエンジン１０２の１つ以上の構成要素に、圧縮された空気を外部の圧縮機１３８から直接供給すること、または加圧空気タンク１２２から供給することが可能である。例えば、加圧空気タンク１２２および／または外部の圧縮機１３８を、圧縮機１０４の圧縮機吐出ケーシング１２６、燃焼器１０６の導入口１２８、および／またはタービン１０８の導入口１３０に連絡させることができる。
【００１７】
いくつかの場合、外部の圧縮機１３８は、圧縮された空気をバイパス配管１５０によってガスタービンエンジン１０２の１つ以上の構成要素へと直接供給することで、出力を維持することができる。一例において、外部の圧縮機１３８は、長期にわたる送電系統の事象または出力の要求にもとづいて、圧縮された空気を供給することができる。
【００１８】
いくつかの場合、図４に示されるように、バイパス配管１５０に加えて、圧縮機１０４が、１つ以上の導管１４６によって加圧空気タンク１２２に連絡することができる。導管１４６は、圧縮機１０４から加圧空気タンク１２２への圧縮された空気の流れを監視および／または制御するために、１つ以上の流量制御弁１４８、流量センサ、および／または圧力センサを備えることができる。圧縮機１０４を、圧縮された空気を加圧空気タンク１２２へと供給するように構成することができる。このやり方で、加圧空気タンクを、外部の圧縮機１３８および／または圧縮機１０４からの圧縮された空気で満たすことができる。次いで、加圧空気タンク１２２を、圧縮された空気を上述のようにガスタービンエンジン１０２の１つ以上の構成要素へと供給するように構成することができる。
【００１９】
図１〜４に示したガスタービンシステム１００の種々の実施形態は、低周波の送電系統の事象などの一時的事象の際に出力を増大させる能力を提供することができる。例えば、外部の圧縮機１３８および／または加圧空気タンク１２２が、圧縮された空気をガスタービンエンジン１０２の１つ以上の構成要素へと供給して、出力を維持することができる。一例においては、加圧空気タンク１２２が、短期間の送電系統の事象または出力の要求にもとづいて、圧縮された空気を即座にもたらすことができる一方で、外部の圧縮機１３８が、長期にわたる送電系統の事象または出力の要求にもとづいて、圧縮された空気を供給することができる。このやり方で、加圧空気タンク１２２のサイズを、実質的に縮小することができる。このやり方で、ガスタービンシステム１００は、低周波の事象の際のガスタービンの短期および長期の動作に対応することができる。
【００２０】
図５は、低周波の送電系統の事象などの一時的事象の際に出力を増大させるための方法２００の典型的なフロー図を示している。ブロック２０２において、加圧空気容器１２２を、圧縮機１０４または外部の圧縮機１３８によって圧縮された空気で満たすことができる。ブロック２０４において、低周波の送電系統の事象などの一時的事象を、検出することができる。ブロック２０６において、加圧空気タンク１２２を、圧縮された空気をガスタービンエンジン１０２の１つ以上の構成要素へと供給するように作動させることができる。ブロック２０８において、外部の圧縮機１３８を作動させることができる。ブロック２１０において、一時的事象が長期化する場合、外部の圧縮機１３８が、圧縮された空気をバイパス配管１５０によってガスタービンエンジン１０２の１つ以上の構成要素へと供給することで、出力を維持することができる。
【００２１】
実施形態を、構造的特徴および／または方法における動作に特有の表現にて説明したが、本開示が、必ずしも説明した特有の特徴または動作に限られないことを、理解すべきである。むしろ、上述した特有の特徴および動作は、実施形態の実施の例示の形態として開示されている。
［実施態様１］
ガスタービンの出力を増大させるためのシステム（１００）であって、
圧縮機（１０４）と、燃焼器（１０６）と、タービン（１０８）とを備えるガスタービンエンジン（１０２）と、
前記ガスタービンエンジン（１０２）に連絡した加圧空気タンク（１２２）と、
前記加圧空気タンク（１２２）に連絡した外部の圧縮機（１３８）と
を備えており、
前記外部の圧縮機（１３８）は、圧縮された空気を前記加圧空気タンク（１２２）へと供給するように構成され、前記加圧空気タンク（１２２）は、圧縮された空気を前記ガスタービンエンジン（１０２）へと供給するように構成されている、システム（１００）。
［実施態様２］
前記加圧空気タンク（１２２）は、前記圧縮機（１０４）の圧縮機吐出ケーシング（１２６）に連絡している、実施態様１に記載のシステム（１００）。
［実施態様３］
前記加圧空気タンク（１２２）は、前記燃焼器（１０６）の導入口（１２８）に連絡している、実施態様１に記載のシステム（１００）。
［実施態様４］
前記加圧空気タンク（１２２）は、前記タービン（１０８）の導入口（１３０）に連絡している、実施態様１に記載のシステム（１００）。
［実施態様５］
前記圧縮機（１０４）は、前記加圧空気タンク（１２２）に連絡している、実施態様１に記載のシステム（１００）。
［実施態様６］
前記圧縮機（１０４）および前記外部の圧縮機（１３８）に連絡したフィルタハウス（１１４）をさらに備える、実施態様１に記載のシステム（１００）。
［実施態様７］
前記加圧空気タンク（１２２）をバイパスするための前記外部の圧縮機（１３８）から前記ガスタービンエンジン（１０２）へのバイパス配管（１５０）をさらに備え、前記外部の圧縮機（１３８）は、前記バイパス配管（１５０）によって前記ガスタービンエンジン（１０２）へと圧縮された空気を供給するように構成されている、実施態様１に記載のシステム（１００）。
［実施態様８］
前記加圧空気タンク（１２２）または前記外部の圧縮機（１３８）は、前記圧縮機（１０４）の圧縮機吐出ケーシング（１２６）に連絡している、実施態様７に記載のシステム（１００）。
［実施態様９］
前記加圧空気タンク（１２２）または前記外部の圧縮機（１３８）は、前記燃焼器（１０６）の導入口（１２８）に連絡している、実施態様７に記載のシステム（１００）。
［実施態様１０］
前記加圧空気タンク（１２２）または前記外部の圧縮機（１３８）は、前記タービン（１０８）の導入口（１３０）に連絡している、実施態様７に記載のシステム（１００）。
［実施態様１１］
前記圧縮機（１０４）は、前記加圧空気タンク（１２２）に連絡している、実施態様７に記載のシステム（１００）。
［実施態様１２］
前記圧縮機（１０４）および前記外部の圧縮機（１３８）に連絡したフィルタハウス（１１４）をさらに備える、実施態様７に記載のシステム（１００）。
［実施態様１３］
ガスタービンの出力を増大させるためのシステム（１００）であって、
圧縮機（１０４）と、燃焼器（１０６）と、タービン（１０８）とを備えるガスタービンエンジン（１０２）と、
前記ガスタービンエンジン（１０２）に連絡した加圧空気タンク（１２２）であって、前記圧縮機（１０４）が該加圧空気タンク（１２２）に連絡しており、前記圧縮機（１０４）が該加圧空気タンク（１２２）へと圧縮された空気を供給するように構成されている加圧空気タンク（１２２）と、
前記加圧空気タンク（１２２）に連絡した外部の圧縮機（１３８）であって、前記加圧空気タンク（１２２）へと圧縮された空気を供給するように構成されており、前記加圧空気タンク（１２２）が前記ガスタービンエンジン（１０２）へと圧縮された空気を供給するように構成されている外部の圧縮機（１３８）と、
前記加圧空気タンク（１２２）をバイパスするための前記外部の圧縮機（１３８）から前記ガスタービンエンジン（１０２）へのバイパス配管（１５０）であって、前記外部の圧縮機（１３８）が該バイパス配管（１５０）によって前記ガスタービンエンジン（１０２）へと圧縮された空気を供給するように構成されているバイパス配管（１５０）と
を備える、システム（１００）。
［実施態様１４］
前記加圧空気タンク（１２２）または前記外部の圧縮機（１３８）は、前記圧縮機（１０４）の圧縮機吐出ケーシング（１２６）に連絡している、実施態様１３に記載のシステム（１００）。
［実施態様１５］
前記加圧空気タンク（１２２）または前記外部の圧縮機（１３８）は、前記燃焼器（１０６）の導入口（１２８）に連絡している、実施態様１３に記載のシステム（１００）。
［実施態様１６］
前記加圧空気タンク（１２２）または前記外部の圧縮機（１３８）は、前記タービン（１０８）の導入口（１３０）に連絡している、実施態様１３に記載のシステム（１００）。
［実施態様１７］
ガスタービンの出力を増大させるための方法であって、
ガスタービンエンジン（１０２）に連絡した加圧空気タンク（１２２）を外部の圧縮機（１３８）によって満たすステップと、
短期間の出力の需要にもとづき、前記加圧空気タンク（１２２）から前記ガスタービンエンジン（１０２）へと圧縮された空気を供給するステップと
を含む方法。
［実施態様１８］
長期にわたる出力の需要にもとづき、前記加圧空気タンク（１２２）をバイパスさせるステップと、
前記外部の圧縮機（１３８）から前記ガスタービンエンジン（１０２）へと圧縮された空気を供給するステップと
をさらに含む、実施態様１７に記載の方法。
［実施態様１９］
前記加圧空気タンク（１２２）および／または前記外部の圧縮機（１３８）から圧縮機吐出ケーシング（１２６）、燃焼器（１０６）の導入口（１２８）、タービン（１０８）の導入口（１３０）、またはこれらの組み合わせへと圧縮された空気を供給することをさらに含む、実施態様１８に記載の方法。
［実施態様２０］
前記加圧空気タンク（１２２）から圧縮機吐出ケーシング（１２６）、燃焼器（１０６）の導入口（１２８）、タービン（１０８）の導入口（１３０）、またはこれらの組み合わせへと圧縮された空気を供給することをさらに含む、実施態様１７に記載の方法。
【符号の説明】
【００２２】
１００  ガスタービンシステム
１０２  ガスタービンエンジン
１０４  圧縮機
１０６  燃焼器、燃焼サブシステム
１０８  ガスタービンエンジン
１１０  圧縮機吸気口サブシステム
１１２  吸気口案内羽根アセンブリ
１１４  吸気口スクリーン、フィルタハウス
１１６  吸気フィルタ
１１８  吸気口抽気加熱（ＩＢＨ）マニホールド
１２０  防氷マニホールド
１２２  加圧空気タンク、加圧空気容器
１２４  導管
１２６  圧縮機吐出ケーシング
１２８、１３０  導入口
１３２  流量制御弁
１３４  流量センサ
１３６  圧力センサ
１３８  外部の圧縮機
１４０、１４４、１４６  導管
１４２  流量制御弁
１４８  流量制御弁
１５０  バイパス配管
２０２、２０４、２０６、２０８、２１０  ブロック
【図１】
2017036725.tif 000003
【図２】
2017036725.tif 000004
【図３】
2017036725.tif 000005
【図４】
2017036725.tif 000006
【図５】
2017036725.tif 000007
【外国語明細書】
2017036725000001.pdf